(57)【要約】【課題】  壁の貫通孔を配管と光ファイバーケーブルとで共用する場合においても、エアコン取り換え時の光ファイバーケーブルの損傷を防止すると共に、エアコン用配管の引き出しや取り換え工事、光ファイバーケーブルの入線や張替え工事が他方に影響を与えることなく容易に行うことが可能な貫通孔付設用スペーサを提供する。【解決手段】  壁に形成された貫通孔を隠蔽すると共に、貫通孔を通す配管を挿通させる貫通孔付設用スペーサ３にあって、配管を挿通させる配管挿通用領域Ａと光ファイバーケーブルを挿通させるケーブル挿通用領域とを隔壁（光ファイバーケーブルを収容するケーブル用配管を嵌合させる嵌合部９の側壁９ａや筒状部の内壁間を渡すように形成された壁体）により分割して設け、この隔壁を配管用挿通領域Ａの開口端よりも突出させるようにする。【選択図】        図２
2005242008.tif 000002
【特許請求の範囲】
【請求項１】
壁に形成された貫通孔を隠蔽すると共に、前記貫通孔を通す配管を挿通させる貫通孔付設用スペーサにおいて、
前記配管を挿通させる配管挿通用領域と光ファイバーケーブルを挿通させるケーブル挿通用領域とを隔壁により分割して設け、
前記隔壁を、前記配管用挿通領域の開口端よりも突出させるようにしたことを特徴とする貫通孔付設用スペーサ。
【請求項２】
分割した各領域から外周面にかけてスリットを形成したことを特徴とする請求項１記載の貫通孔付設用スペーサ。
【請求項３】
前記貫通孔に挿入する円筒状に形成された筒状部と、この筒状部の一方の開口端部に形成された鍔部と、この鍔部に一体に形成され、前記光ファイバーケーブルを収容したケーブル用配管を嵌合する嵌合部とを有して構成され、前記隔壁を前記嵌合部の側壁によって形成するようにしたことを特徴とする請求項１又は２記載の貫通孔付設用スペーサ。
【請求項４】
前記貫通孔に挿入する円筒状に形成された筒状部と、この筒状部の一方の開口端部に形成された鍔部とを有して構成され、前記隔壁を前記筒状部の内壁間を渡すように形成された壁体によって形成するようにしたことを特徴とする請求項１又は２記載の貫通孔付設用スペーサ。
【発明の詳細な説明】
【技術分野】
【０００１】
本発明は、壁に形成された配管取り出し用の貫通孔を利用して光ファイバーケーブルを宅内に引き込む場合に有効な貫通孔付設用スペーサに関する。
【背景技術】
【０００２】
光ファイバーケーブルを宅内に引き込む場合には、エアコン用配管を引き出すために壁に形成された貫通孔を利用する場合が多く、エアコン用配管が付設された貫通孔に新たに光ファイバーケーブルを追加施設する場合には、貫通孔の配管周囲を封止するパテを一旦取り外し、貫通孔とエアコン用配管との隙間に光ファイバーケーブルを挿通させ、その後、再び貫通孔の配管周囲をパテ埋めする方法が採られている。
【０００３】
また、ケーブル導入穴に使用される導入穴封止部材として、ケーブル導入穴に嵌入可能に円柱状に形成され、ケーブル導入穴の軸線と平行に２つのケーブル穴を貫設し、このケーブル穴から外周面にわたってケーブルを出し入れ可能とするスリットを設けるようにしたものが公知となっている（特許文献１参照）。
【特許文献１】特開平９−３１２９２７号公報（００１６欄、図３参照）
【発明の開示】
【発明が解決しようとする課題】
【０００４】
しかしながら、光ファイバーケーブルを上述した貫通孔を利用して宅内に引き込んだ後にエアコンを交換するような場合は、貫通孔から引き出される配管も交換することになるので、貫通孔の配管周囲を封止するパテを再び取り外す必要があり、パテを取り外す際に光ファイバーケーブルを断線させるなど損傷を与えることが懸念されている。このように、貫通孔をエアコン用配管と光ファイバーケーブルとで共用する場合には、一方のメンテナンスや取り換えなどに伴い、他方への影響を考慮する必要がある。
【０００５】
この点、上述した特許文献１に示される封止部材を利用し、一方の作業が他方に影響を与えないようにすることも考えられるが、このような封止部材は、光ファイバーケーブルの外面に封止部材自体を密着させることを予定したものであり、エアコン用配管を挿通させる貫通孔付設用スペーサのように隙間をパテ埋めすることを予定したものではない。このため、上述した封止部材を住設用として用いるには汎用性が悪く、また、穴径を大きくして住設用に対応させようとしても、それぞれの穴を封止するパテ同士が繋がり、配管周囲のパテを外すと光ファイバーケーブル周囲のパテも外れてしまい、その際に光ファイバーケーブルを損傷させる不都合が生じる。
【０００６】
そこで、この発明においては、以上のような事情に鑑みてなされたものであり、壁の貫通孔を配管と光ファイバーケーブルとで共用する場合においても、エアコン取り換え時において光ファイバーケーブルの損傷を防止すると共に、エアコン用配管の引き出しや取り換え工事、光ファイバーケーブルの入線や張替え工事がそれぞれ他方に影響を与えることなく容易に行うことができる貫通孔付設用スペーサを提供することを主たる課題としている。
【課題を解決するための手段】
【０００７】
上記課題を達成するために、この発明に係る貫通孔付設用スペーサは、壁に形成された貫通孔を隠蔽すると共に、前記貫通孔を通す配管を挿通させるものに係り、前記配管を挿通させる配管挿通用領域と光ファイバーケーブルを挿通させるケーブル挿通用領域とを隔壁により分割して設け、前記隔壁を、前記配管挿通用領域の開口端よりも突出させるようにしたことを特徴としている（請求項１）。
【０００８】
したがって、壁に形成された貫通孔をエアコン用配管を取り出す取り出し口と光ファイバーケーブルを引き込む引き込み口として利用する場合においても、貫通孔付設用スペーサには、配管挿通用領域とケーブル挿通用領域とが隔壁によって画成されており、この隔壁が配管挿通用領域の開口端よりも突出して形成されているので、エアコン用配管の布設工事や取り換え工事と、光ファイバーケーブルの引入工事や取り換え工事とを独立に行うことが可能となり、また、突出した隔壁により、配管挿通用領域に設けられるパテがケーブル挿通用領域に入り込むことがなくなる。
【０００９】
ここで、貫通孔付設用スペーサには、分割した各領域から外周面にかけてスリットを形成し、エアコン用配管や光ファイバーケーブルを側方から出し入れさせることが作業効率を高める上で好ましい（請求項２）。
【００１０】
また、上述した貫通孔付設用スペーサは、貫通孔に挿入する円筒状に形成された筒状部と、この筒状部の一方の開口端部に形成された鍔部と、この鍔部に一体に形成され、光ファイバーケーブルを収容したケーブル用配管を嵌合する嵌合部とを有して構成し、前記隔壁を前記嵌合部の側壁によって形成するようにしても（請求項３）、貫通孔に挿入する円筒状に形成された筒状部と、この筒状部の一方の開口端部に形成された鍔部とを有して構成し、前記隔壁を前記筒状部の内壁間を渡すように形成された壁体によって形成するようにしてもよい（請求項４）。
【発明の効果】
【００１１】
以上述べたように、請求項１に係る発明によれば、壁に形成された貫通孔を隠蔽すると共に、前記貫通孔を通す配管を挿通させる貫通孔付設用スペーサにおいて、配管を挿通させる配管挿通用領域と光ファイバーケーブルを挿通させるケーブル挿通用領域とを隔壁により分割して設け、この隔壁を、配管挿通用領域の開口端よりも突出させるようにしたので、壁の貫通孔を配管と光ファイバーケーブルとで共用する場合においても、エアコン取り換え時の光ファイバーケーブルの損傷を防止すると共に、エアコン用配管の引き出しや取り換え工事、光ファイバーケーブルの入線や張替え工事が他方に影響を与えることなく容易に行うことが可能となる。
【００１２】
また、請求項２に係る発明によれば、貫通孔付設用スペーサの分割した各領域から外周面にかけてスリットを形成したので、エアコン配管や光ファイバーケーブルを側方から容易に出し入れすることが可能となり、作業効率を高めることが可能となる。
【００１３】
請求項３に係る発明によれば、貫通孔付設用スペーサを、貫通孔に挿入する円筒状に形成された筒状部と、この筒状部の一方の開口端部に形成された鍔部と、この鍔部に一体に形成され、光ファイバーケーブルを収容したケーブル用配管を嵌合する嵌合部とを有して構成し、隔壁を嵌合部の側壁によって形成するようにしたので、ケーブル挿通用領域を必要最小限の大きさに形成することが可能となり、配管挿通用領域を大きく確保することが可能となる。
【００１４】
請求項４に係る発明によれば、貫通孔付設用スペーサを、貫通孔に挿入する円筒状に形成された筒状部と、この筒状部の一方の開口端部に形成された鍔部とを有して構成し、隔壁を筒状部の内壁間を渡すように形成された壁体によって形成するようにしたので、配管挿通用領域とケーブル挿通用領域の割合を壁体の形成位置を変更することで調整することが可能となる。
【発明を実施するための最良の形態】
【００１５】
以下、この発明の最良の実施形態を添付図面を参照しながら説明する。
【００１６】
図１において、家屋の壁に形成された貫通孔を利用してエアコン用配管と光ファイバーケーブルとを布設する一例が示され、壁１に形成された貫通孔２には、化粧プレートとして用いられる貫通孔付設用プレート３が取り付けられ、この貫通孔付設用プレート３により貫通孔２を隠蔽し、貫通孔付設用プレート３を介して貫通孔２を通すエアコン用配管４を引き出すと共に光ファイバーケーブル５を引き入れるようにしている。
【００１７】
貫通孔付設用プレート３は、その全体が合成樹脂材によって形成されているもので、図２に示されるように、貫通孔２に挿入する円筒状に形成された筒状部６と、この筒状部６の一方の開口端部に一体に形成された鍔部７と、この鍔部７に一体に形成されると共に筒状部６の軸方向に円筒状に突設され、光ファイバーケーブル５を収容したＰＤ管などで構成されたケーブル用配管８を嵌合させる嵌合部９とを有して構成されている。筒状部６は、壁１の貫通孔２に挿入し得るよう貫通孔の内径にほぼ等しい外径を有しており、鍔部７は、貫通孔２を隠蔽するように外径が貫通孔２の内径よりも大きく形成されている。また、鍔部７には、貫通孔２に連通する開口部１０が筒状部６の内径よりも径を小さくして形成されている。この例において、開口部１０の中心は、貫通孔２の中心に対してずれた位置にあり、筒状部６の内側に開口するように形成されている。また、嵌合部９も、その中心が貫通孔２の中心に対してずれた位置にあり、筒状部６の内側と部分的に連通するように形成されており、この例においては、筒状部６と重なり合う部分の側壁９ａが筒状部内に延設され、その先端を鍔部７が設けられていない筒状部６の開口端に一致させている。
【００１８】
したがって、嵌合部９の筒状部内に延設された側壁９ａにより、筒状部６内をエアコン用配管３を挿通させる配管挿通用領域Ａと光ファイバーケーブル５を挿通させるケーブル挿通用領域Ｂとに分割する隔壁が構成されている。
【００１９】
また、貫通孔付設用プレート３の配管挿通用領域Ａから嵌合部９を避けた外周面にかけて配管着脱用のスリット１１が筒状部６および鍔部７に形成され、ケーブル挿通用領域Ｂから嵌合部９を含む外周面にかけてケーブル着脱用のスリット１２が嵌合部９、筒状部６および鍔部７に形成されている。
【００２０】
尚、図１において、１３は、貫通孔２に付設された貫通孔付設用プレート３、エアコン用配管４、及びケーブル用配管８を覆う取り出し口カバーであり、１４は、この取り出し口カバー１３を壁１に取り付けるベース部材である。また、取り出し口カバー１３は、壁外面に沿って延びるエアコン用配管４に沿うように設けられると共に、側部に除去可能な切除片１５が設けられ、切除片１５を取り外すことで、ケーブル用配管８をエアコン用配管４と異なる方向へ引き出す切除部１６が形成されるようになっている。
【００２１】
以上の構成において、隔壁が設けられていない従来の貫通孔付設用プレートを用いてエアコン用配管４が貫通孔２から引き出されている状態で、光ファイバーケーブル５を貫通孔２を利用して宅内に引き込む場合には、上述した貫通孔付設用プレート３を用いて次のような工事を行う。
【００２２】
先ず、既設の貫通孔付設用プレートとエアコン用配管４との隙間を封止しているパテを取り外し、既設の貫通孔付設用プレートを切断するなどによりエアコン用配管４から取り外す。その後、図２で示す貫通孔付設用プレート３をスリット１１を拡げて配管挿通用領域Ａにエアコン用配管４が挿通するようエアコン用配管４に取り付け、また、光ファイバーケーブル５を収容したケーブル用配管８の端部を嵌合部９に嵌合し、光ファイバーケーブル５をケーブル挿通用領域Ｂに挿通させる。そして、図３に示されるように、その状態で壁１の貫通孔２に貫通孔付設用プレート３を嵌め込み、配管挿通用領域Ａのエアコン用配管４の周囲をパテ２０によって埋める。その後、必要に応じて、取り出し口カバー１３を切除片１５を除去した状態でベース部材１４を介して壁１に取り付け、ケーブル用配管８を切除部１６を介して引き出す。
【００２３】
また、後日、エアコンを取り換えるには、配管挿通用領域Ａのエアコン用配管４周囲を封止しているパテ２０を取り外し、配管挿通用領域Ａを介して引き出されるエアコン用配管を交換し、再び配管挿通用領域Ａのエアコン用配管４の周囲をパテ埋めすればよい。また、光ファイバーケーブル５を張り替える場合においても、ケーブル用配管８を嵌合部９から取り外し、ケーブル挿通用領域Ｂを介して引き入れられている光ファイバーケーブル５を交換した後、ケーブル用配管８を嵌合部９に嵌合すればよい。
【００２４】
したがって、エアコン取り換え時には、隔壁によって画成された配管挿通用領域Ａのみの作業だけで済み、ケーブル挿通用領域Ｂの既設状態に手を加えることがないので、光ファイバーケーブル５の断線の恐れがなくなり、光ファイバーケーブル５への影響を考慮する必要がなくなる。また、光ファイバーケーブル５を取り換えるには、隔壁によって画成されたケーブル挿通用領域Ｂのみの作業だけで済み、配管挿通用領域Ａ側の既設状態に手を加えることがないので、光ファイバーケーブル５の入線、張り替え工事を容易に行うことが可能となる。
【００２５】
さらに、上述の構成においては、隔壁を構成する嵌合部９が突出形成されているので、配管挿通用領域Ａをパテ埋めするような場合においても、嵌合部９の側壁９ａによってパテがケーブル挿通用領域Ｂに入り込むことを防ぐことが可能となる。また、隔壁を嵌合部９の側壁９ａによって形成するようにしたので、ケーブル挿通用領域Ｂを必要最小限の大きさに形成することが可能となり、配管挿通用領域Ａを大きく確保することが可能となる。
【００２６】
図４に貫通孔付設用プレート３の他の構成例が示され、この貫通孔付設用プレート３は、その全体が合成樹脂材によって形成され、貫通孔２に挿入する筒状部６と、この筒状部６の一方の開口端部に一体に形成された鍔部７と、筒状部内をエアコン用配管４を挿通させる配管挿通用領域Ａと光ファイバーケーブル５を挿通させるケーブル挿通用領域Ｂとに分割する隔壁とを有して構成されている。この例において隔壁は、筒状部６の内壁間を渡すように形成された湾曲した壁体２１によって構成され、配管挿通用領域Ａとケーブル挿通用領域Ｂの開口端よりも軸方向に突出するように形成されている。
【００２７】
また、貫通孔付設用プレート３の配管挿通用領域Ａから外周面にかけてエアコン配管着脱用のスリット１７が筒状部６および鍔部７に形成され、ケーブル挿通用領域Ｂから外周面にかけて光ファイバーケーブル着脱用のスリット１８が筒状部６および鍔部７に形成されている。尚、他の構成は前記構成例と同一であるので、同一箇所に同一番号を付して説明を省略する。
【００２８】
以上の構成において、隔壁が設けられていない従来の貫通孔付設用プレートを用いてエアコン用配管４が貫通孔２から引き出されている状態で、光ファイバーケーブル５を貫通孔２を利用して宅内に引き込む場合には、次のような工事を行う。
【００２９】
先ず、既設の貫通孔付設用プレートとエアコン用配管４との隙間を封止しているパテを取り外し、既設の貫通孔付設用プレートを切断するなどによりエアコン用配管４から取り外す。その後、図４で示す貫通孔付設用プレート３をスリット１７を拡げて配管挿通用領域Ａにエアコン用配管４が挿通するようエアコン用配管４に取り付け、また、スリット１８を拡げて、或いは、ケーブル挿通用領域Ｂの軸方向から光ファイバーケーブル５をケーブル挿通用領域Ｂに挿通するように取り付ける。そして、図５に示されるように、その状態で壁１の貫通孔２に貫通孔付設用プレート３を嵌め込み、配管挿通用領域Ａのエアコン用配管４の周囲とケーブル挿通用領域Ｂの光ファイバーケーブル５の周囲とをパテ２２，２３によって埋めればよい。その後、必要に応じて、取り出し口カバー１３を切除片１５を除去した状態でベース部材１４を介して壁１に取り付け、ケーブル用配管８を切除部１６を介して引き出す。
【００３０】
また、後日、エアコンを取り換えるには、配管挿通用領域Ａのエアコン用配管４周囲を封止しているパテ２０を取り外し、管挿通用領域Ａを介して引き出されるエアコン用配管を交換し、再び配管挿通用領域Ａのエアコン用配管４周囲をパテ埋めすればよい。また、光ファイバーケーブル５を張り替える場合にも、同様に、ケーブル挿通用領域Ｂの光ファイバーケーブル５周囲を封止するパテ２３を取り外し、ケーブル挿通用領域Ｂを介して引き込まれる光ファイバーケーブル５を交換し、再びケーブル挿通用領域Ｂの光ファイバーケーブル５周囲をパテ埋めすればよい。
【００３１】
したがって、エアコン取り換え時には、隔壁で画成された配管挿通用領域Ａのパテ２２や配管４の脱着作業のみで取り換え作業を完結でき、ケーブル挿通用領域Ｂの付設状態に手を加える必要がないので、光ファイバーケーブル５を損傷させる恐れがなく、光ファイバーケーブル５への影響を考慮する必要がなくなる。また、光ファイバーケーブル５を取り換え時には、隔壁によって画成されたケーブル挿通用領域Ｂのパテ２２や光ファイバーケーブル５の脱着作業のみで取り換え作業を完結でき、配管挿通用領域Ａ側の既設状態に手を加える必要がないので、光ファイバーケーブル５の入線、張り替え工事を容易に行うことも可能となる。
【００３２】
さらに、上述の構成においては、隔壁構成する壁体２１が突出形成されているので、それぞれの領域をパテ埋めするような場合においても、壁体２１によってそれぞれの領域に埋められるパテが繋がることがなくなり、一方のパテの取り外し時に他方のパテが外れる不都合がなく、光ファイバーケーブル５への影響を無くすことが可能となる。また、隔壁を筒状部６の内壁間を渡すように形成した壁体２１によって形成するようにしたので、配管挿通用領域Ａとケーブル挿通用領域Ｂの割合を壁体２１の形成位置を変更することで調整することが可能となる。
【００３３】
尚、以上の構成においては、配管挿通用領域Ａとケーブル用挿通領域Ｂを画成する隔壁を、嵌合部９の側壁９ａにより、或いは壁体２１により、鍔部７が設けられていない筒状部６の開口端にかけて形成するようにしたが、隔壁は、鍔部７が設けられた開口端近傍にのみ設けるようにしてもよい。
【図面の簡単な説明】
【００３４】
【図１】図１は、壁の貫通孔に取り付けられる本発明に係る貫通孔付設用スペーサとこれを覆う取り出し口カバーとの関係を示す分解斜視図である。
【図２】図２は、貫通孔付設用スペーサの構成例を示す図であり、（ａ）はその正面図、（ｂ）はその側面図、（ｃ）はその斜視図である。
【図３】図３は、図２に示す貫通孔付設用スペーサを用いてエアコン用配管とケーブル用配管を取り付けた状態を示す図である。
【図４】図４は、貫通孔付設用スペーサの他の構成例を示す図であり、（ａ）はその正面図、（ｂ）はその側面図、（ｃ）はその斜視図である。
【図５】図５は、図４に示す貫通孔付設用スペーサを用いてエアコン用配管と光ファイバーケーブルを取り付けた状態を示す図である。
【符号の説明】
【００３５】
１  壁
２  貫通孔
３  貫通孔付設用スペーサ
４  エアコン用配管
５  光ファイバーケーブル
８  ケーブル用配管
９  嵌合部
９ａ  側壁
２１  壁体
Ａ  配管挿通用領域
Ｂ  ケーブル挿通用領域
【図１】
2005242008.tif 000003
【図２】
2005242008.tif 000004
【図３】
2005242008.tif 000005
【図４】
2005242008.tif 000006
【図５】
2005242008.tif 000007